(57)【要約】【課題】視聴時、および録画時における受信電波の状態をユーザーが把握可能な衛星放送受信装置および衛星放送受信システムを提供する。【解決手段】衛星放送受信装置１は、放送電波を受信する受信部１００と、電波の強度およびノイズ強度を検出する受信電波強度検出部１０１と、表示部１１と、情報を読み書き自在に記録する記憶部１０３と、本体１０の各部を制御する制御部１０４とを有する。記憶部１０３は、映像信号を記録した録画データ１０３ａと、受信電波強度検出部１０１の出力を時刻とともに記録した受信電波強度履歴データ１０３ｂとを保有する。制御部１０４は、受信電波強度検出部１０１の出力または受信電波強度履歴データ１０３ｂに基づいて時間をパラメータにした電波強度グラフを作成し、表示部１１に表示するグラフ作成部１０４ａと、予め定めた閾値に基づいてデータ内容を判定する閾値判定部１０４ｂとを有する。【選択図】図３
2008113313.tif 000002
【特許請求の範囲】
【請求項１】
衛星放送の電波を受信する受信部と、
前記受信部が受信した電波の強度を検出する受信電波強度検出部と、
前記受信した電波を復調した映像信号を映像として出力する表示部と、
前記受信電波強度検出部の出力に基づいて、時間をパラメータに持つ電波強度グラフを作成し、前記電波強度グラフを前記映像とともに前記表示部に表示させる制御部とを有することを特徴とする衛星放送受信装置。
【請求項２】
前記制御部は、前記電波強度グラフを作成するグラフ作成部と、予め定めた閾値に基づいて前記受信電波強度検出部の出力に対応した天気情報を前記表示部に表示させる閾値判定部を有することを特徴とする請求項１に記載の衛星放送受信装置。
【請求項３】
衛星放送の電波を受信する受信部と、
前記受信部が受信した電波の強度を検出する受信電波強度検出部と、
前記受信した電波を復調した映像信号を映像として出力する表示部と、
前記映像信号を録画データとして記憶する記憶部と、
前記受信電波強度検出部の出力に基づいて、時間をパラメータに持つ電波強度グラフを作成し、前記電波強度グラフを前記映像とともに前記表示部に表示するグラフ作成部を有する制御部とを有することを特徴とする衛星放送受信装置。
【請求項４】
前記受信電波強度検出部は、前記電波の強度としてＣＮ（Ｃａｒｅｅｒ  ｔｏ  Ｎｏｉｓｅ）比を検出することを特徴とする請求項１または３に記載の衛星放送受信装置。
【請求項５】
前記制御部は、予め定めた閾値に基づいて前記受信電波強度検出部の出力に対応した天気情報を前記表示部に表示させる閾値判定部を有することを特徴とする請求項３に記載の衛星放送受信装置。
【請求項６】
前記グラフ作成部は、前記受信電波強度検出部の出力を前記録画データの時刻に対応づけて受信電波強度履歴データとして前記記憶部に記憶することを特徴とする請求項３に記載の衛星放送受信装置。
【請求項７】
前記グラフ作成部は、前記録画データを参照表示する際に、前記録画データとともに、時間をパラメータにもつ電波強度グラフによって前記受信電波強度履歴データを表示することを特徴とする請求項６に記載の衛星放送受信装置。
【請求項８】
前記制御部は、前記グラフ作成部を有するとともに、前記録画データを参照表示する際に、前記録画データに対応づけられた前記受信電波強度履歴データを判定し、予め定めた閾値以下の前記受信電波強度検出部の出力が存在する場合に、前記表示部に警告を表示する閾値判定部を有することを特徴とする請求項６に記載の衛星放送受信装置。
【請求項９】
衛星放送の電波を受信する複数の衛星放送受信装置と、
前記複数の衛星放送受信装置が検出した受信電波の強度の情報をインターネットを介して収集し、複数の前記情報を解析するサーバとを有し、
前記複数の衛星放送受信装置は、前記サーバが解析した複数の前記情報の解析結果を表示することを特徴とする衛星放送受信システム。
【請求項１０】
前記サーバは、前記解析結果として複数の前記情報の平均値を計算することを特徴とする請求項９に記載の衛星放送受信システム。
【請求項１１】
前記衛星放送受信装置は、衛星放送を録画中は、前記解析結果を履歴として保存することを特徴とする請求項１０に記載の衛星放送受信システム。
【発明の詳細な説明】
【技術分野】
【０００１】
本発明は、受信電波の状態を検出可能な衛星放送受信装置および衛星放送受信システムに関し、特に視聴時、および録画時における受信電波の状態をユーザーが把握可能な衛星放送受信装置および衛星放送受信システムに関する。
【背景技術】
【０００２】
従来の技術として、受信電波のＣＮ（Ｃａｒｅｅｒ  ｔｏ  Ｎｏｉｓｅ）比に基づいて気象状態を判別し、判別結果を表示画面に表示する衛星放送受信装置がある（例えば、特許文献１参照）。
【０００３】
この衛星放送受信装置は、アンテナが受信した受信電波のＣＮ比を検出する受信状態検出部と、受信状態検出部の出力に基づいて気象状態を判別する判別手段と、判別手段の判別結果を表示する表示手段とを備える。放送衛星は地上約３６，０００ｋｍ上空に位置することから、衛星放送の電波は成層圏の雲の状態によって影響を受けて、衛星放送受信装置のアンテナを介して受信状態検出部へ到達する。判別手段は、この雲による影響を受信状態検出部の検出結果である受信電波のＣＮ比より判別し、晴れ、くもり、雨といった判別結果を出力して表示手段に表示することができる。このため、放送番組を視聴しているユーザーは、衛星放送受信装置によって番組を見ながらして気象情報を知ることができる。
【特許文献１】特開平３−２６１２２７号公報
【発明の開示】
【発明が解決しようとする課題】
【０００４】
しかし、従来の衛星放送受信装置によると、現時点の気象状態を表示部に表示しているため、例えば、くもりの表示がされていてもユーザーはくもりの程度を知ることができず、また、気象状態が回復傾向にあるのか、あるいは悪化する傾向にあるのか知ることができない。さらに、過去のＣＮ比の履歴が不明であるため、ユーザーが衛星放送を録画した録画映像を再生して録画品質の低下があったとき、ユーザーは、それが気象状態に起因するＣＮ比の悪さに基づいているのか、あるいは衛星放送受信装置または録画装置の性能低下または故障に基づいているのかを知ることができない。
【０００５】
従って、本発明の目的は、気象状態の回復あるいは悪化の傾向を知ることができ、また録画状態の悪化の原因を推察することができる衛星放送受信装置および衛星放送受信システムを提供することにある。
【課題を解決するための手段】
【０００６】
（１）本発明は上記目的を達成するため、衛星放送の電波を受信する受信部と、前記受信部が受信した電波の強度を検出する受信電波強度検出部と、前記受信した電波を復調した映像信号を映像として出力する表示部と、前記受信電波強度検出部の出力に基づいて、時間をパラメータに持つ電波強度グラフを作成し、前記電波強度グラフを前記映像とともに前記表示部に表示させる制御部とを有することを特徴とする衛星放送受信装置を提供する。
【０００７】
このような構成によれば、受信電波の強度を電波強度グラフとして表示できるため、ユーザーは受信電波の強度の履歴を把握でき、その移り変わりを把握できる。
【０００８】
（２）また、本発明は上記目的を達成するため、衛星放送の電波を受信する受信部と、前記受信部が受信した電波の強度を検出する受信電波強度検出部と、前記受信した電波を復調した映像信号を映像として出力する表示部と、前記映像信号を録画データとして記憶する記憶部と、前記受信電波強度検出部の出力に基づいて、時間をパラメータに持つ電波強度グラフを作成し、前記電波強度グラフを前記映像とともに前記表示部に表示するグラフ作成部を有する制御部とを有することを特徴とする衛星放送受信装置を提供する。
【０００９】
このような構成によれば、録画データ参照時に録画データに対応づけて電波強度グラフを表示できるため、ユーザーは録画データの画質低下等の原因を容易に把握できる。
【００１０】
（３）また、本発明は上記目的を達成するため、衛星放送の電波を受信する複数の衛星放送受信装置と、前記複数の衛星放送受信装置が検出した受信電波の強度の情報をインターネットを介して収集し、複数の前記情報を解析するサーバとを有し、前記複数の衛星放送受信装置は、前記サーバが解析した複数の前記情報の解析結果を表示することを特徴とする衛星放送受信システムを提供する。
【００１１】
このような構成によれば、複数の衛星放送受信装置により受信電波の強度を検出し、それらをサーバにより解析するため、より精度の高い受信電波の強度に対する情報を取得することができる。
【発明の効果】
【００１２】
本発明によれば、気象状態の傾向、および録画状態の悪化の原因を把握できる。
【発明を実施するための最良の形態】
【００１３】
以下に、本発明の衛星放送受信装置および衛星放送受信システムの実施の形態を、図面を参照して詳細に説明する。
【００１４】
〔第１の実施の形態〕
図１は、本発明の第１の実施の形態に関する衛星放送の構成を示す概略図である。
【００１５】
衛星放送は、衛星放送の電波を発信する衛星２と、衛星２が発信した電波を受信するアンテナ１２と、アンテナ１２により受信した電波を復調し、映像を表示画面に表示する衛星放送受信装置１とからなる。衛星２は、例えば放送衛星および通信衛星等の人工衛星である。
【００１６】
衛星放送の電波は、大気中に含まれる雨雲３等の障害物を通過すると、雨雲３に含まれる水分等の状態によって影響を受ける。具体的に、雨雲３を通過することにより、電波強度が減衰し、電波とノイズの比率を表すＣＮ比が低下する。ＣＮ比が低下すると、衛星放送受信装置１の表示する映像が劣化する。
【００１７】
図２は、本発明の第１の実施の形態に関する衛星放送受信装置の構成を示す概略図である。
【００１８】
衛星放送受信装置１は、本体１０と表示部１１とアンテナ１２から構成される。本体１０は、ＣＰＵ（Ｃｅｎｔｒａｌ  Ｐｒｏｃｅｓｓｉｎｇ  Ｕｎｉｔ）やＨＤＤ（Ｈａｒｄ  Ｄｉｓｃ  Ｄｒｉｖｅ）等の電子部品より構成され、アンテナ１２から受信する信号を復調して、表示部１１へ映像信号として出力する。また、本体１０は、後述する通信部を有し、インターネット１３と接続することによって外部と通信が可能である。表示部１１は、液晶ディスプレイであり、表示画面１１０を有する。アンテナ１２は、衛星放送受信用のアンテナであり、南西の方角より電波を受信する。
【００１９】
図３は、本発明の第１の実施の形態に関する衛星放送受信装置の概略構成を示すブロック図である。
【００２０】
この衛星放送受信装置１の本体１０は、アンテナ１２を介して放送電波を受信して復調可能な受信部１００と、受信部１００において受信した電波の強度およびノイズ強度を検出する受信電波強度検出部１０１と、表示部１１における画像表示に関する制御を行う表示制御部１０２と、情報を読み書き自在に記録する記憶部１０３と、本体１０の各部を制御する制御部１０４と、外部と通信して情報を取得する通信部１０５と、ユーザーの手操作等により本体１０を操作するための操作部１０６と、各部を接続するバス１０７とを有する。
【００２１】
記憶部１０３は、例えばハードディスクドライブであり、受信部１００が復調した映像信号を記録した録画データ１０３ａと、受信電波強度検出部１０１の出力を時刻とともに記録した受信電波強度履歴データ１０３ｂとを保有する。
【００２２】
制御部１０４は、受信電波強度検出部１０１の出力または受信電波強度履歴データ１０３ｂに基づいて時間をパラメータにした電波強度グラフを作成し、表示部１１に表示するグラフ作成部１０４ａと、受信電波強度検出部１０１の出力または受信電波強度履歴データ１０３ｂに関して、予め定めた閾値に基づいてデータ内容を判定する閾値判定部１０４ｂとを有する。
【００２３】
図４（ａ）および（ｂ）は、本発明の第１の実施の形態に関する受信電波強度表示領域の表示の具体例を示す概略構成図である。
【００２４】
図４（ａ）に示すように、受信電波強度表示領域１１０ａは、受信中の映像、または再生中の録画データ１０３ａとともに表示画面１１０に表示される。図４（ｂ）に示すように、受信電波強度表示領域１１０ａは、電波強度グラフ表示領域１１１ａと天気表示領域１１２ａを有する。
【００２５】
電波強度グラフ表示領域１１１ａは、横軸が時刻、縦軸がＣＮ比の電波強度グラフを表示し、例えば、現在より１時間３０分前までの履歴を表示する。また、電波強度グラフ表示領域１１１ａの電波強度グラフは閾値１１１０と閾値１１１１を有し、閾値１１１０よりＣＮ比が上回る場合に晴れ、閾値１１１０以下で閾値１１１１を上回る場合にくもり、閾値１１１１以下の場合に雨であることがわかるように表示される。
【００２６】
天気表示領域１１２ａは、現在のＣＮ比と閾値１および閾値２に基づいて現在の気象状況を表示する天気アイコン１１２０と、現在のＣＮ比を表示するＣＮ比表示１１２１とを表示する。
【００２７】
図５は、本発明の第１の実施の形態に関する録画データ表示領域の表示の具体例を示す概略構成図である。
【００２８】
録画データ表示領域１１０ｂは、受信電波強度表示領域１１０ａと同様に表示画面１１０に表示され、録画データのファイル情報を表示する録画データファイル情報１１１ｂと、ある時刻における録画データのサムネイル１１２０ｂ〜１１２３ｂを表示するサムネイル表示１１２ｂと、録画中に検出された受信電波のＣＮ比を録画データの記録時刻に合わせて表示するＣＮ比１１３ｂと、録画経過時刻を表示する録画時間１１４ｂと、閾値１１３０ｂに基づいて録画が失敗した可能性のある旨を表示する警告情報１１５ｂとを表示する。
【００２９】
図５に示す例では、ｔ６〜ｔ７の間、ＣＮ比が閾値１１３０ｂ以下になっているため、受信電波の強度が弱く、録画が失敗している可能性がある。そのため、警告情報１１５ｂにおいてｔ６（００：３８：００）〜ｔ７（００：４７：００）の間に映像が記録されていない可能性がある旨が表示される。
【００３０】
（第１の動作）
以下に、本発明の第１の実施の形態における衛星放送受信装置の動作を図１から図５を参照しつつ説明する。
【００３１】
衛星放送の電波はアンテナ１２において受信され、受信電波は受信部１００において復調されて映像信号として出力される。リアルタイムで視聴する場合、映像信号は表示制御部１０２を介して表示部１１に映像として表示される。受信電波強度検出部１０１は、受信部１００の受信する電波の強度およびノイズ強度を常に検出しており、これらをＣＮ比として制御部１０４のグラフ作成部１０４ａに出力する。
【００３２】
グラフ作成部１０４ａは、時間をパラメータにしたＣＮ比の電波強度グラフを作成し、表示制御部１０２を介して表示部１１に映像とともに、図４（ａ）および（ｂ）に示すように表示される。この際、電波強度グラフ表示領域１１１ａに表示する時間範囲は任意に設定できる。
【００３３】
閾値判定部１０４ｂは、予め定められた閾値１１１０と閾値１１１１に基づいて電波強度グラフ表示領域１１１ａに現在のＣＮ比に対応する天気アイコン１１２０を表示する。例えば、ノイズがない状態をＣＮ比１００％とした場合、ＣＮ比が０〜３０％で雨を、ＣＮ比が３０〜７０％でくもりを、ＣＮ比が７０〜１００％で晴れを表示する。
【００３４】
なお、閾値判定部１０４ｂは、閾値１１１０と閾値１１１１を適宜変更可能で、晴天時のＣＮ比の値を用いて表示を１００％とし、閾値１１１０と閾値１１１１を規格化することができる。この規格化により、受信地域による電波状況のバラつき、およびアンテナ１２に対する障害物の存在等による電波強度劣化に対応することができる。
【００３５】
映像信号を録画する場合は、受信部１００の出力は記憶部１０３に録画データ１０３ａとして記録され、その際、記録中の受信電波の強度およびノイズ強度を受信電波強度検出部１０１より受信して記憶部１０３に受信電波強度履歴データ１０３ｂとして記録する。
【００３６】
録画データ１０３ａをユーザーが参照するために操作部１０６を操作すると、図５に示すように表示画面１１０に録画データ表示領域１１０ｂが表示される。録画データ表示領域１１０ｂは、録画時間１１４ｂに沿ってサムネイル表示１１２ｂとＣＮ比１１３ｂが表示される。この際、閾値判定部１０４ｂが閾値１１３０ｂに基づいて受信電波強度履歴データ１０３ｂを判定し、ＣＮ比が閾値１１３０ｂ以下になっている場合は、記録が失敗している可能性があるため、その旨を警告情報１１５ｂへ表示する。
【００３７】
（第１の実施の形態の効果）
上記した本発明の第１の実施の形態によると、衛星放送受信装置１は、ＣＮ比の時間履歴を表示するため、ユーザーはＣＮ比の変化の経緯を把握可能で、またＣＮ比に沿った気象状態の変化を把握でき、くもりである場合のくもり度合い、また、これから気象が回復するのか悪化するのかを把握することができる。
【００３８】
また、録画データ１０３ａと関連づけて受信電波強度履歴データ１０３ｂを記録し、録画時にＣＮ比の低下による記録の失敗が生じた場合に、その旨をユーザーに警告することができるため、ユーザーは記録の失敗の原因がＣＮ比の低下によるものかどうかを把握することができる。
【００３９】
なお、受信電波強度表示領域１１０ａは、ユーザーの操作により表示／非表示の切替が可能である。
【００４０】
なお、閾値１１３０ｂおよび警告情報１１５ｂは、録画データの参照時のみでなく、リアルタイム視聴時における受信電波強度表示領域１１０ａに適用しても良い。これにより、ＣＮ比低下による映像表示の失敗をユーザーに知らせることができる。
【００４１】
〔第２の実施の形態〕
図６は、本発明の第２の実施の形態における衛星放送受信システムの構成を示す概略図である。なお、以下の説明において、第１の実施の形態と同一の構成および機能を有する部分については共通の符号を付している。
【００４２】
衛星放送受信システム４は、衛星放送の電波を発信する衛星２と、複数の衛星放送受信装置１とからなる。複数の衛星放送受信装置１は、設置されている場所に応じて、例えば地域５Ａおよび地域５Ｂと分けられ、それぞれの地域に対してサーバ６Ａおよびサーバ６Ｂが設置される。各地域は、例えばサーバを中心として半径１ｋｍ圏内とする。各衛星放送受信装置１は、インターネット１３によって各地域のサーバに接続されている。
【００４３】
図７は、本発明の第２の実施の形態におけるサーバの構成を示す概略図である。なお、サーバ６Ａについての構成を示したが、サーバ６Ｂにおいても同様の構成を有するものとする。
【００４４】
サーバ６Ａは、情報を読み書き自在に記録する記憶部６０１と、サーバ６Ａの各部を制御する制御部６０２と、外部と通信して情報を取得する通信部６０３と、各部を接続するバス６０４とを有する。
【００４５】
記憶部６０１は、例えばハードディスクドライブであり、通信部６０３を介して各衛星放送受信装置１から受信したＣＮ比を受信電波強度収集データ６０１ａとして保有する。
【００４６】
制御部６０２は、受信電波強度収集データ６０１ａを解析し、解析結果を通信部６０３を介して各衛星放送受信装置１へと送信させる収集データ計算部６０２ａを有する。
【００４７】
（動作）
以下に、本発明の第２の実施の形態における衛星放送受信装置および衛星放送受信システムの動作を図６および各図を参照しつつ説明する。
【００４８】
各衛星放送受信装置１は、例えば地域５Ａに設置されている場合、アンテナ１２および受信部１００により衛星放送の電波を受信し、受信電波強度検出部１０１において受信電波の強度およびノイズ強度を検出する。受信電波強度検出部１０１は検出結果をＣＮ比として出力し、出力は通信部１０５を介し、インターネット１３を通じてサーバ６Ａへと送信される。
【００４９】
サーバ６Ａは、各衛星放送受信装置１から送信されてきたＣＮ比を通信部６０３を介して受信して、記憶部６０１の受信電波強度収集データ６０１ａとして保存する。収集データ計算部６０２ａは、受信電波強度収集データ６０１ａの統計をとって、最も信用できる値、例えば平均値を算出する。差出された値は、インターネット１３を通じて再び各衛星放送受信装置１へと送信される。
【００５０】
各衛星放送受信装置１は、通信部１０５を介してサーバ６ＡからＣＮ比を受信し、番組視聴時は、グラフ作成部１０４ａによってリアルタイムに電波強度グラフ化され、表示制御部１０２を介して表示部１１に受信電波強度表示領域１１０ａとして表示される。また、録画時は、受信電波強度履歴データ１０３ｂとして記録される。
【００５１】
（第２の実施の形態の効果）
上記した本発明の第２の実施の形態によると、各地域にサーバを設置し、複数の衛星放送受信装置１のＣＮ比をもって地域ごとのＣＮ比を算出したため、ＣＮ比および天気表示の精度を向上することができる。
【００５２】
なお、サーバは各地域に設置せずとも、任意の場所に設置して各地域のデータを収集するものとしてもよい。
【００５３】
また、サーバは地域内に存在する衛星放送受信装置１から受信するＣＮ比のバラつきを各衛星放送受信装置１に提供してもよい。このことより、各衛星放送受信装置１は、周辺の天気を予測できるようになる。
【００５４】
また、サーバは、地域外の衛星放送受信装置１にもデータを提供してもよい。このことより、各衛星放送受信装置１は、任意の遠隔地の天気情報を取得することができる。
【００５５】
また、サーバを設置せず、各地域の衛星放送受信装置１のいずれかが代表となり、サーバの機能を実行してもよい。
【図面の簡単な説明】
【００５６】
【図１】本発明の第１の実施の形態に関する衛星放送の構成を示す概略図である。
【図２】本発明の第１の実施の形態に関する衛星放送受信装置の構成を示す概略図である。
【図３】本発明の第１の実施の形態に関する衛星放送受信装置の概略構成を示すブロック図である。
【図４】（ａ）および（ｂ）は、本発明の第１の実施の形態に関する受信電波強度表示領域の表示の具体例を示す概略構成図である。
【図５】本発明の第１の実施の形態に関する録画データ表示領域の表示の具体例を示す概略構成図である。
【図６】本発明の第２の実施の形態における衛星放送受信システムの構成を示す概略図である。
【図７】本発明の第２の実施の形態におけるサーバの構成を示す概略図である。
【符号の説明】
【００５７】
１…衛星放送受信装置、２…衛星、３…雨雲、４…衛星放送受信システム、５Ａ…地域、５Ｂ…地域、６Ａ…サーバ、６Ｂ…サーバ、１０…本体、１１…表示部、１２…アンテナ、１３…インターネット、１００…受信部、１０１…受信電波強度検出部、１０２…表示制御部、１０３…記憶部、１０３ａ…録画データ、１０３ｂ…受信電波強度履歴データ、１０４…制御部、１０４ａ…グラフ作成部、１０４ｂ…閾値判定部、１０５…通信部、１０６…操作部、１０７…バス、１１０…表示画面、１１０ａ…受信電波強度表示領域、１１１ａ…電波強度グラフ表示領域、１１２ａ…天気表示領域、１１０ｂ…録画データ表示領域、１１１ｂ…録画データファイル情報、１１２ｂ…サムネイル表示、１１３ｂ…ＣＮ比、１１４ｂ…録画時間、１１５ｂ…警告情報、６０１…記憶部、６０１ａ…受信電波強度収集データ、６０２…制御部、６０２ａ…収集データ計算部、６０３…通信部、６０４…バス、１１１０…閾値、１１１１…閾値、１１２０…天気アイコン、１１２０ｂ〜１１２３ｂ…サムネイル、１１２１…ＣＮ比表示、１１３０ｂ…閾値
【図１】
2008113313.tif 000003
【図２】
2008113313.tif 000004
【図３】
2008113313.tif 000005
【図４】
2008113313.tif 000006
【図５】
2008113313.tif 000007
【図６】
2008113313.tif 000008
【図７】
2008113313.tif 000009